【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
気道開存性を改善する装置であって、
患者の口腔内に配置可能であり、硬口蓋から離間した位置に該患者の舌の内側面を拘束する舌拘束を有する、経口装置であって、該経口装置は、該患者の唇から該患者の軟口蓋までの連続した真空流路を提供し、該経口装置は、該気道が該真空流路から実質的に流体的に隔離されるように該真空が該真空流路を通して適用されると、該軟口蓋と該舌および該経口装置の一方または両方との間に密封を維持するように構成される、経口装置を備える、装置。
【請求項２】
前記舌拘束は、前記舌の前部先端から該舌の後端までの距離の少なくとも約１／３の点で、前記内側面に係合するように構成される、請求項１に記載の装置。
【請求項３】
前記舌は、幅を有し、前記舌拘束は、該幅の少なくとも大部分を横断して該舌に係合するように構成され、該舌拘束はオプションでプレートを備える、請求項１または２に記載の装置。
【請求項４】
前記舌拘束は、前記硬口蓋の前端と該硬口蓋の後端との間の中間点より後方の点で、前記内側面に係合するように構成される、請求項１に記載の装置。
【請求項５】
前記真空流路は、前記舌と前記硬口蓋との間に形成される空き領域を備える、請求項１〜４のいずれかに記載の装置。
【請求項６】
前記空き領域は、前記軟口蓋の前面に真空を適用するように構成される開口を介して、該軟口蓋と流体連通している、請求項５に記載の装置。
【請求項７】
前記経口装置に連結される圧力モニタおよび／または酸素測定センサをさらに備える、請求項１〜６のいずれかに記載の装置。
【請求項８】
前記経口装置は、前記真空流路と連通し、前記舌の上面に真空を適用するように構成される、下ポートを備える、請求項１〜４のいずれかに記載の装置。
【請求項９】
前記経口装置は、前記舌の外側面に真空を適用するように構成される、外側ポートをさらに備える、請求項１〜４および８のいずれかに記載の装置。
【請求項１０】
前記経口装置は、前記真空流路と連通し、真空が適用されたときに前記舌によって封鎖されない状態が維持されるように該舌から離れる方向を向く、後部ポートを備える、請求項１〜４、８および９のいずれかに記載の装置。
【請求項１１】
前記患者の唇を密封して前記口腔内への漏出を阻止するための唇密封をさらに備え、該唇密封は、該唇と前記歯との間に配置可能な密封構造を備える、請求項１〜１０のいずれかに記載の装置。
【請求項１２】
前記気道を開いておくことに役立つように選択される偏向位置に、前記患者の顎を維持するように適合される、前記経口装置に連結される顎係合構造をさらに備える、請求項１〜１１のいずれかに記載の装置。
【請求項１３】
前記経口装置はさらに、前記口腔内の該経口装置の位置を維持するように適合される、アンカ構造を備える、請求項１〜１２のいずれかに記載の装置。
【請求項１４】
前記舌拘束は、該舌拘束の前端から後端まで延在する、対向する外側縁を有し、該外側縁の少なくとも後方部分は、前記アンカ構造に固定され、該アンカ構造は、前記患者の歯によって保持されるように適合される咬合構造を備える、請求項１３に記載の装置。
【請求項１５】
前記真空流路と流体連通している、前記経口装置に接続可能な真空源をさらに備える、請求項１〜１４のいずれかに記載の装置。
【手続補正２】
【補正対象書類名】明細書
【補正対象項目名】００８４
【補正方法】変更
【補正の内容】
【００８４】
本発明の性質および利点のさらなる理解は、図面と併せて解釈される、以下の発明を実施するための形態を参照することによって得られてもよい。
例えば、本発明は以下の項目を提供する。
（項目１）
口腔と、硬口蓋と、軟口蓋と、舌と、唇と、気道とを有する患者の気道開存性を改善するための方法であって、
該口腔内に経口装置を設置することであって、該経口装置は、該舌の内側面に係合する舌拘束を有し、該舌拘束は、該硬口蓋から離間した位置に該内側面を拘束し、それにより、連続した真空流路が該唇から該軟口蓋まで延在する、ことと、
該真空流路を通して該軟口蓋に真空を適用することであって、該軟口蓋は、該気道が該真空流路から実質的に流体的に隔離されるように、該舌および該経口装置の一方または両方に対して密封を形成する、ことと
を含む、方法。
（項目２）
上記舌拘束は、上記舌の前部先端から該舌の後端までの距離の少なくとも約１／３の点において上記内側面に係合する、項目１に記載の方法。
（項目３）
上記舌拘束は、上記舌の幅の少なくとも約１／２の幅を有する、プレートを備える、項目１に記載の方法。
（項目４）
上記舌拘束は、上記硬口蓋の前端と該硬口蓋の後端との間の中間点より後方の点において、上記内側面に係合する、項目１に記載の方法。
（項目５）
上記真空流路は、上記舌と上記硬口蓋との間に形成される空き領域を備える、項目１に記載の方法。
（項目６）
上記真空流路は、上記経口装置と一体化される、または連結される真空チューブ腔を備える、項目１に記載の方法。
（項目７）
上記密封より後方の上記気道に陽圧を送達することをさらに備える、項目１に記載の方法。
（項目８）
上記陽圧は、上記口腔を通して送達される、項目７に記載の方法。
（項目９）
上記陽圧は、鼻気道を通して送達される、項目７に記載の方法。
（項目１０）
上記口腔の中に圧力モニタを配置して、漏出について監視することをさらに含む、項目１に記載の方法。
（項目１１）
上記空き領域は、上記舌から離れる方向を向く開口を通して、上記軟口蓋と流体連通している、項目２に記載の方法。
（項目１２）
上記舌の上面に真空を適用することをさらに含む、項目１に記載の方法。
（項目１３）
上記真空は、上記経口装置の下ポートを通して上記舌の上記上面に適用される、項目１２に記載の方法。
（項目１４）
上記舌の外側面に真空を適用することをさらに含む、項目１に記載の方法。
（項目１５）
上記真空は、上記舌から離れる方向に配向される第１のポートを通して適用されることにより、該第１のポートが該舌によって封鎖されない状態のままである、項目１に記載の方法。
（項目１６）
上記真空はさらに、上記舌に向かって配向される第２のポートを通して適用される、項目１５に記載の方法。
（項目１７）
上記真空は、−５ｃｍＨ２Ｏから−１５０ｃｍＨ２Ｏまでの範囲の圧力を有する、項目１に記載の方法。
（項目１８）
上記真空が適用されている間、上記口腔に進入する空気を阻止するように、上記患者の唇を密封することをさらに含む、項目１に記載の方法。
（項目１９）
上記唇を密封することは、該唇と歯との間に密封構造を配置することを含む、項目１８に記載の方法。
（項目２０）
非偏向位置から偏向位置へと上記患者の顎を再配置することと、上記真空が適用されている間、該偏向位置において該顎を維持することとをさらに含む、項目１に記載の方法。
（項目２１）
上記真空によって上記口腔から吸引される唾液を収集することをさらに含む、項目１に記載の方法。
（項目２２）
口腔と、硬口蓋と、軟口蓋と、舌と、気道とを有する患者の気道開存性を改善するための方法であって、
内側面と該硬口蓋との間に空き領域を維持するように、該患者の舌の内側面を拘束することであって、該内側面は、少なくとも部分的に、該硬口蓋の前端と該硬口蓋の後端との間の中間点より後方にあり、該空き領域は、該軟口蓋の前面に向かって真空を適用するように構成される後部開口を通って該軟口蓋と流体連通している、ことと、
該気道が少なくとも部分的に開いている位置に該軟口蓋を担持するように、該空き領域内に陰圧を適用することであって、該後部開口は、該陰圧が適用されたときに該舌によって閉塞されないままであり、該軟口蓋および舌は、密封を形成し、それにより、該患者の気道は、該空き領域から実質的に流体的に隔離される、ことと
を含む、方法。
（項目２３）
上記内側面は、上記舌の前部先端から該舌の後端までの距離の少なくとも約１／３の点で拘束される、項目２２に記載の方法。
（項目２４）
上記内側面は、上記硬口蓋の上記前端から該硬口蓋の上記後端までの距離の少なくとも約１／２の点で拘束される、項目２２に記載の方法。
（項目２５）
上記内側面は、上記患者の口腔内に配置される舌拘束によって拘束される、項目２２に記載の方法。
（項目２６）
上記舌は、幅を有し、上記舌拘束は、該幅の少なくとも大部分を横断して該舌に係合する、項目２５に記載の方法。
（項目２７）
上記舌拘束は、プレートを備える、項目２６に記載の方法。
（項目２８）
上記プレートは、上記患者の左右の臼歯の間の空間を横断してまたがる、項目２７に記載の方法。
（項目２９）
上記空き領域は、上記舌に対面する上記舌拘束の少なくとも１つの下ポートと連通している、項目２５に記載の方法。
（項目３０）
陰圧が適用されると、少なくとも１つの下ポートは、舌によって封鎖される一方で、上記後部開口は、該舌によって閉塞されないままである、項目２９に記載の方法。
（項目３１）
上記軟口蓋は、上記舌および上記舌拘束の一方または両方に係合して、上記密封を生成する、項目２５に記載の方法。
（項目３２）
上記空き領域内の流体は、上記硬口蓋の下面と直接接触している、項目２２に記載の方法。
（項目３３）
上記陰圧は、上記舌拘束に連結された、または一体化された、少なくとも１つの真空チューブ腔を通して適用される、項目２５に記載の方法。
（項目３４）
上記陰圧は、上記舌拘束とは別に上記口腔内に配置される、少なくとも１つの真空チューブ腔を通して適用される、項目２５に記載の方法。
（項目３５）
上記口腔内にアンカ構造を配置することをさらに備え、上記舌拘束は、上記アンカ構造に連結されるか、または一体化されている、項目２５に記載の方法。
（項目３６）
上記舌拘束は、その前端から後端まで延在する、対向する外側縁を有し、該外側縁の少なくとも後方部分は、上記アンカ構造に固定される、項目３５に記載の方法。
（項目３７）
上記アンカ構造を配置することは、上記歯の間で咬合構造を担持することを含む、項目３５に記載の方法。
（項目３８）
上記咬合構造は、上記歯の間に担持される、少なくとも１つの咬合面を備える、項目３７に記載の方法。
（項目３９）
上記咬合構造は、上記歯を受容する歯受容チャネルを備える、項目３７に記載の方法。
（項目４０）
上記アンカ構造を配置することは、上記アンカを適所に担持するように、上記硬口蓋に対する硬口蓋係合面を備える、項目３５に記載の方法。
（項目４１）
上記陰圧が適用されると、上記口腔を密封するのに役立つように、上記患者の唇に沿って唇密封を設置することをさらに含む、項目２２に記載の方法。
（項目４２）
上記陰圧は、上記舌拘束に連結されるか、または一体化されるプレナムネットワークを介して適用される、項目２５に記載の方法。
（項目４３）
上記プレナムネットワークは、上記舌拘束の少なくとも一部分内に延在する、項目４２に記載の方法。
（項目４４）
上記プレナムネットワークは、上記舌拘束に連結されるか、または一体化される咬合構造内に延在する、項目４２に記載の方法。
（項目４５）
上記プレナムネットワークは、上記舌の少なくとも１つの外側面の下方に延在する、項目４２に記載の方法。
（項目４６）
上記口腔内に配置される検出器によって、該口腔の密閉領域中の漏出を検出することをさらに含む、項目２２に記載の方法。
（項目４７）
上記口腔内に配置されるセンサから気道開存性の表示を受信することをさらに含む、項目２２に記載の方法。
（項目４８）
上記口腔内に蓄積する液体を吸引することをさらに含む、項目２２に記載の方法。
（項目４９）
上記液体が吸引されている間、実質的に一定の陰圧を維持することをさらに含む、項目４８に記載の方法。
（項目５０）
上記陰圧が適用されている間、上記気道に陽圧を送達することをさらに含む、項目２２に記載の方法。
（項目５１）
上記陽圧は、上記口腔を通して送達される、項目５０に記載の方法。
（項目５２）
上記陽圧は、鼻気道を通して送達される、項目５０に記載の方法。
（項目５３）
非偏向位置から偏向位置へと上記患者の顎を再配置することと、上記陰圧が適用されている間、該偏向位置に該顎を維持することとをさらに含む、項目２２に記載の方法。
（項目５４）
上記後部開口は、上記患者の上下の歯の間の接触面によって画定される咬合面に対して少なくとも約４５度の角度で配置される、第１の平面にある、項目２２に記載の方法。
（項目５５）
上記第１の平面は、上記咬合面に対して約４５〜１８０度である、項目５４に記載の方法。
（項目５６）
上記後部開口は、上記舌拘束によって下側に、および上記患者の硬口蓋または軟口蓋によって上側に束縛される、項目２５に記載の方法。
（項目５７）
上記軟口蓋は、上記硬口蓋に接合される上端を伴う上部分と、付着されていない下端を伴う下部分とを有し、上記後部開口は、上記気道が開いているときに、該上部分に直接陰圧を適用するように構成される、項目２２に記載の方法。
（項目５８）
口腔と、硬口蓋と、軟口蓋と、舌と、気道とを有する患者の気道開存性を改善するための方法であって、
該患者の口腔内の第１の場所に第１のポートを通して第１の圧力を適用することと、
該患者の口腔内の第２の場所に第２のポートを通して第２の圧力を適用することであって、該第２の圧力は、該第１の圧力とは異なる、ことと
を含み、
該舌および軟口蓋は、該気道が少なくとも部分的に開いているように配置される、方法。
（項目５９）
上記第１の圧力は、上記第１のポートを通して上記舌に適用される、項目５８に記載の方法。
（項目６０）
上記第２の圧力は、上記第２のポートを通して上記軟口蓋に適用される、項目５９に記載の方法。
（項目６１）
上記第１および第２のポートは、各々、上記口腔内に配置可能な経口装置に連結される、項目５８に記載の方法。
（項目６２）
上記第１および第２の圧力が適用されている間、上記舌と上記硬口蓋との間に空き領域を維持するように、該舌を拘束することをさらに含む、項目５８に記載の方法。
（項目６３）
上記第１および第２のポートのうちの少なくとも１つは、上記舌を拘束する舌拘束に配置される、項目６２に記載の方法。
（項目６４）
上記気道が上記第１および第２のポートから実質的に流体的に隔離されるように、上記陰圧が適用されると、上記軟口蓋と上記舌との間に密封を生成することをさらに含む、項目５８に記載の方法。
（項目６５）
上記第１および第２のポートは、上記口腔内で相互に対して移動可能である、項目５８に記載の方法。
（項目６６）
上記第１および第２の圧力のうちの１つは、陽圧である、項目５８に記載の方法。
（項目６７）
上記陽圧は、上記第１のポートを通して適用され、該第１のポートは、上記気道に該陽圧を適用するように配置される、項目６６に記載の方法。
（項目６８）
陰圧は、上記陽圧が上記気道に適用されている間、上記口腔内で上記第２のポートを通して適用される、項目６７に記載の方法。
（項目６９）
上記第２のポートは、上記陰圧が適用された後に、上記気道から実質的に流体的に隔離される、項目６８に記載の方法。
（項目７０）
気道開存性を改善する装置であって、
患者の口腔内に配置可能であり、硬口蓋から離間した位置に該患者の舌の内側面を拘束する舌拘束を有する、経口装置であって、該経口装置は、該患者の唇から該患者の軟口蓋までの連続した真空流路を提供し、該経口装置は、該気道が該真空流路から実質的に流体的に隔離されるように該真空が該真空流路を通して適用されると、該軟口蓋と該舌および該経口装置の一方または両方との間に密封を維持するように構成される、経口装置を備える、装置。
（項目７１）
上記舌拘束は、上記舌の前部先端から該舌の後端までの距離の少なくとも約１／３の点で、上記内側面に係合するように構成される、項目７０に記載の装置。
（項目７２）
上記舌は、幅を有し、上記舌拘束は、上記幅の少なくとも大部分を横断して該舌に係合するように構成される、項目７０に記載の装置。
（項目７３）
上記舌拘束は、プレートを備える、項目７２に記載の装置。
（項目７４）
上記舌拘束は、上記硬口蓋の前端と該硬口蓋の後端との間の中間点より後方の点で、上記内側面に係合するように構成される、項目７０に記載の装置。
（項目７５）
上記真空流路は、上記舌と上記硬口蓋との間に形成される空き領域を備える、項目７０に記載の装置。
（項目７６）
上記真空流路は、上記経口装置と一体化された、または連結された真空チューブ腔を備える、項目７０に記載の装置。
（項目７７）
上記気道に陽圧を送達するように適合される、上記経口装置に連結された送達管腔をさらに備える、項目７０に記載の装置。
（項目７８）
上記経口装置に連結される圧力モニタをさらに備える、項目７０に記載の装置。
（項目７９）
上記経口装置に連結される酸素測定センサをさらに備える、項目７８に記載の装置。
（項目８０）
上記空き領域は、上記軟口蓋の前面に真空を適用するように構成される開口を介して、該軟口蓋と流体連通している、項目７５に記載の装置。
（項目８１）
上記経口装置は、上記真空流路と連通し、上記舌の上面に真空を適用するように構成される、下ポートを備える、項目８０に記載の装置。
（項目８２）
上記経口装置はさらに、上記舌の外側面に真空を適用するように構成される、外側ポートをさらに備える、項目７０に記載の装置。
（項目８３）
上記経口装置は、上記真空流路と連通し、真空が適用されたときに上記舌によって封鎖されない状態が維持されるように該舌から離れる方向を向く、後部ポートを備える、項目７０に記載の装置。
（項目８４）
上記経口装置はさらに、上記舌に向かって配向される下ポートを備える、項目８３に記載の装置。
（項目８５）
上記下ポートは、上記真空流路と連通している、項目８４に記載の装置。
（項目８６）
上記下ポートは、上記真空流路とは流体的に分離している真空チューブ腔と連通している、項目８４に記載の装置。
（項目８７）
上記患者の唇を密封して上記口腔内への漏出を阻止するための唇密封をさらに備える、項目７０に記載の装置。
（項目８８）
上記唇密封は、上記唇と上記歯との間に配置可能な密封構造を備える、項目８７に記載の装置。
（項目８９）
上記気道を開いておくことに役立つように選択される偏向位置に、上記患者の顎を維持するように適合される、上記経口装置に連結される顎係合構造をさらに備える、項目７０に記載の装置。
（項目９０）
上記顎係合構造は、上記患者の下歯に係合して、前方位置に下顎を維持するように適合される、上記経口装置上のタブを備える、項目８９に記載の装置。
（項目９１）
上記顎係合構造は、上記経口装置上に配置され、開放位置に上記顎を維持するように上記患者の上下の歯の間に配置可能である、スペーサを備える、項目８９に記載の装置。
（項目９２）
上記経口装置はさらに、上記口腔内に該経口装置の位置を維持するように適合される、アンカ構造を備える、項目７６に記載の装置。
（項目９３）
上記舌拘束は、その前端から後端まで延在する、対向する外側縁を有し、該外側縁の少なくとも後方部分は、上記アンカ構造に固定される、項目９２に記載の装置。
（項目９４）
上記アンカ構造は、上記患者の歯によって担持されるように適合される、咬合構造を備える、項目９２に記載の装置。
（項目９５）
上記真空流路と流体連通している、上記経口装置に接続可能な真空源をさらに備える、項目７０に記載の装置。
（項目９６）
患者の気道の開存性を改善する経口装置であって、
口腔内に配置可能であり、舌の内側面に係合し、かつ、硬口蓋から離間した位置に該内側面を拘束して、その間に空き領域を作成するように適合される、舌拘束であって、該内側面は、少なくとも部分的に、該硬口蓋の前端と該硬口蓋の後端との間の中間点より後方にあり、該空き領域は、軟口蓋の前面に向かって真空を適用するように構成される後部開口を通って該軟口蓋と連通している、舌拘束と、
該気道が少なくとも部分的に開き、該後部開口が該舌によって封鎖されないままである位置に、該軟口蓋が担持されるように、該舌拘束が該舌に係合している間、該空き領域に真空を伝達する手段であって、該軟口蓋および舌は、密封を形成し、それにより、該患者の気道は、該空き領域から実質的に流体的に隔離される、手段と
を備える、経口装置。
（項目９７）
上記舌拘束は、上記舌の前部先端から該舌の後端までの距離の少なくとも約１／３の点で、上記内側面に係合するように構成される、項目９６に記載の経口装置。
（項目９８）
上記舌は、幅を有し、上記舌拘束は、該幅の少なくとも大部分を横断して該舌に係合するように構成される、項目９６に記載の経口装置。
（項目９９）
上記舌拘束は、プレートを備える、項目９８に記載の経口装置。
（項目１００）
上記プレートは、上記患者の左右の臼歯の間の空間を横断してまたがるように構成される、項目９９に記載の経口装置。
（項目１０１）
上記空き領域はさらに、上記舌に対面する上記舌拘束の少なくとも１つの下ポートと連通している、項目９６に記載の経口装置。
（項目１０２）
上記舌拘束は、上記軟口蓋を上記舌および該舌拘束の一方または両方との係合を維持させて、真空が上記空き領域に伝達されると上記密封を生成するように適合される、項目９６に記載の経口装置。
（項目１０３）
上記舌拘束は、上記空き領域内の流体が上記硬口蓋の下面に直接接触するように構成される、項目９６に記載の経口装置。
（項目１０４）
上記真空を伝達するための上記手段は、上記舌拘束に連結されるか、または一体化された少なくとも１つの真空チューブ腔を備える、求項９６に記載の経口装置。
（項目１０５）
上記舌拘束に連結されるか、または一体化されるアンカ構造をさらに備える、項目９６に記載の経口装置。
（項目１０６）
上記舌拘束は、その前端から後端まで延在する、対向する外側縁を有し、該外側縁の少なくとも後方部分は、上記アンカ構造に固定される、項目１０５に記載の経口装置。
（項目１０７）
上記アンカ構造は、上下の歯の間に配置可能である、咬合構造を備える、項目１０５に記載の経口装置。
（項目１０８）
上記咬合構造は、上記歯を受容する歯受容チャネルを備える、項目１０７に記載の経口装置。
（項目１０９）
上記アンカ構造は、適所に上記舌拘束を担持するように、上記硬口蓋に対して配置可能な硬口蓋係合面を備える、項目１０５に記載の経口装置。
（項目１１０）
真空が適用されると、上記口腔を密封するのに役立つように、上記患者の唇に沿って配置可能な唇密封をさらに備える、項目９６に記載の経口装置。
（項目１１１）
上記真空を伝達するための上記手段は、上記舌拘束に連結されるか、または一体化されるプレナムネットワークを備える、項目９６に記載の経口装置。
（項目１１２）
上記プレナムネットワークは、上記舌拘束の少なくとも一部分内に延在する、項目１１１に記載の経口装置。
（項目１１３）
上記プレナムネットワークは、上記舌拘束に連結されるか、または一体化される咬合構造内に延在する、項目１１１に記載の経口装置。
（項目１１４）
上記プレナムネットワークは、上記舌の少なくとも１つの外側面の下方に延在する、項目１１１に記載の経口装置。
（項目１１５）
上記口腔内の圧力を監視するための、上記舌拘束に連結される圧力センサをさらに備える、項目９６に記載の経口装置。
（項目１１６）
上記患者の酸素レベルを監視するための、上記舌拘束に連結される酸素測定センサをさらに備える、項目９６に記載の経口装置。
（項目１１７）
上記気道に陽圧を送達するように適合される、上記舌拘束に連結された圧力管腔をさらに備える、項目９６に記載の経口装置。
（項目１１８）
上記舌拘束に連結され、上記気道を開いておくのに役立つように選択される偏向位置に、上記患者の顎を維持するように適合される、顎係合構造をさらに備える、項目９６に記載の経口装置。
（項目１１９）
上記顎係合構造は、上記患者の下歯に係合して、前方位置に下顎を維持するように適合される、上記経口装置上のタブを備える、項目１１８に記載の経口装置。
（項目１２０）
上記顎係合構造は、上記経口装置上に配置され、開放位置に上記顎を維持するように上記患者の上下の歯の間に配置可能である、スペーサを備える、項目１１８に記載の経口装置。
（項目１２１）
上記軟口蓋に係合するように構成される、上記舌拘束の後面上の軟質パッドをさらに備える、項目９６に記載の経口装置。
（項目１２２）
上記舌に係合するように構成される、上記舌拘束の下面上の軟質パッドをさらに備える、項目９６に記載の経口装置。
（項目１２３）
上記舌拘束は、該舌拘束が、上記アンカ構造に移動可能に連結されることにより、上記顎洞内で前方に移動して、その中で上記舌を再配置すること可能にする、項目１０５に記載の経口装置。
（項目１２４）
上記舌拘束に連結されるか、または一体化される軟口蓋着床面であって、上記気道が少なくとも部分的に開いている位置に上記軟口蓋があるときに、上記軟口蓋に係合するように適合される後面を有する、軟口蓋着床面をさらに備える、項目９６に記載の経口装置。
（項目１２５）
上記軟口蓋着床面は、上記舌拘束に移動可能に連結される、項目１２４に記載の経口装置。
（項目１２６）
上記軟口蓋着床面は、上記軟口蓋に向かって真空を伝達するように適合される、後部ポートをその上に有する、項目１２４に記載の経口装置。
（項目１２７）
上記後面は、上記患者の上下の歯の間の接触面によって画定される咬合面に対して、少なくとも約９０度の角度で配置される、項目１２４に記載の経口装置。
（項目１２８）
上記軟口蓋着床面は、上記舌拘束の後縁から上方に延在する壁を備える、項目１２４に記載の経口装置。
（項目１２９）
上記後部開口は、上記患者の上下の歯の間の接触面によって画定される咬合面に対して少なくとも約４５度の角度で配置される、第１の平面にある、項目９６に記載の経口装置。
（項目１３０）
上記第１の平面は、上記咬合面に対して約４５〜１８０度である、項目１２９に記載の経口装置。
（項目１３１）
上記後部開口は、上記舌拘束によって下側に、および上記患者の硬口蓋または軟口蓋によって上側に束縛される、項目９６に記載の経口装置。
（項目１３２）
上記軟口蓋は、上記硬口蓋に接合される上端を伴う上部分と、付着されていない下端を伴う下部分とを有し、上記後部開口は、上記気道が開いているときに、該上部分に陰圧を適用するように構成される、項目９６に記載の経口装置。
（項目１３３）
気道開存性を改善する装置であって、
口腔内に配置可能な経口装置と、
第１の場所において該経口装置に連結されるか、または一体化される、第１のポートと、
第２の場所において該経口装置に連結されるか、または一体化される、第２のポートと、
該第１のポートを通して第１の圧力を適用する手段と、
該第２のポートを通して第２の圧力を適用する手段であって、該第２の圧力は、該第１の圧力とは異なる、手段と
を備え、
該経口装置は、該口腔内での該第１および第２のポートを通した該第１および第２の圧力の適用が、該気道が少なくとも部分的に開いているように、舌および軟口蓋を配置するように構成される、装置。
（項目１３４）
上記経口装置は、上記口腔内に配置可能であり、上記舌の上面に係合し、かつ硬口蓋から離間した位置に該舌の少なくとも一部分を拘束するように適合される、舌拘束を備える、項目１３３に記載の装置。
（項目１３５）
上記第１および第２のポートは、上記口腔内で相互に対して移動可能である、項目１３３に記載の装置。
（項目１３６）
上記第１の圧力を適用する上記手段は、第１のポンプを備え、上記第２の圧力を適用する上記手段は、第２のポンプを備える、項目１３３に記載の装置。
（項目１３７）
上記第１の圧力を適用する上記手段は、第１のポンプと、第１の圧力調整器とを備え、上記第２の圧力を適用する上記手段は、該第１のポンプと、第２の圧力調整器とを備える、項目１３３に記載の装置。
（項目１３８）
上記第２のポートは、上記軟口蓋に上記第２の圧力を適用するように構成される、項目１３３に記載の装置。
（項目１３９）
上記第１のポートは、上記舌に上記第１の圧力を適用するように構成される、項目１３３に記載の装置。
（項目１４０）
上記第２のポートは、上記第１のポートに対して移動可能である、項目１３３に記載の装置。
（項目１４１）
上記経口装置は、上記口腔内に該経口装置を固着するように適合される、アンカ構造を備え、上記第１のポートは、該アンカ構造に対して移動不可能である、項目１３３に記載の装置。
（項目１４２）
上記第２のポートは、上記アンカ構造に移動可能に連結される着床パッドに配置される、項目１３４に記載の装置。
（項目１４３）
上記第１および第２のポートは、上記口腔が上記気道から実質的に流体的に隔離されるように、上記軟口蓋を上記経口装置および上記舌の一方または両方との密封係合の状態に維持するように適合される、項目１３３に記載の装置。
（項目１４４）
上記第１および第２の圧力は、陰性である、項目１３３に記載の装置。
（項目１４５）
上記第１の圧力は、陽性であり、上記第２の圧力は、陰性である、項目１３３に記載の装置。
（項目１４６）
上記第１の圧力は、陽性であり、上記第１のポートは、上記患者の気道に上記陽圧を適用するように適合される、項目１３３に記載の装置。
（項目１４７）
上記第１のポートは、導管内に配置され、該導管は、上記経口装置から上記患者の気道の中へ後方に延在するように適合される、項目１４６に記載の装置。
（項目１４８）
患者の口腔内に配置可能であり、該患者の唇から該患者の軟口蓋まで連続した真空流路を維持するように適合される、経口装置と、
該真空流路と流体連通している真空源と、
該口腔から吸引される液体を収集するために該真空流路と流体連通している、液体コレクタと
を備える、システム。
（項目１４９）
上記真空源は、液体が上記口腔から吸引されるときに、液体が吸引されていないときと実質的に同じ陰圧を上記真空流路の中に維持するように適合される、項目１４８に記載のシステム。
（項目１５０）
上記口腔と連通している圧力センサをさらに備える、項目１４９に記載のシステム。
（項目１５１）
上記真空源は、ポンプと、コントローラとを備え、上記圧力センサは、該コントローラに連結されることにより、該コントローラが、該圧力センサから受信される信号に応じて上記ポンプを調整する、項目１５０に記載のシステム。
（項目１５２）
上記経口装置に連結され、上記口腔と連通しているポートを有する、圧力管をさらに備え、上記圧力センサは、該圧力管と連通している、項目１５０に記載のシステム。
（項目１５３）
上記圧力センサは、上記経口装置に取り付けられ、電気信号を伝送するように適合される、項目１５０に記載のシステム。
（項目１５４）
上記真空流路と連通し、その中に十分な空気を入れて、吸引された液体が上記液体コレクタへと流れることを可能にするように適合される、通気口をさらに備える、項目１４８に記載のシステム。
（項目１５５）
上記真空流路と連通している、上記経口装置に連結される真空チューブをさらに備え、該真空チューブは、上記真空源に流体接続され、上記通気口は、該真空チューブの穴を含む、項目１５４に記載のシステム。
（項目１５６）
上記液体コレクタは、入口および出口を有する気密空間を備え、上記真空チューブは、該入口に接続され、該出口は、上記真空源に流体接続される、項目１５４に記載のシステム。
（項目１５７）
上記液体コレクタは、最大レベルまで上記気密空間内に上記吸引された液体を収集し、上記入口および上記出口は、液体を含まない空間によって該最大レベルから分離される、項目１５６に記載のシステム。
（項目１５８）
上記経口装置は、舌拘束を備え、該舌拘束は、上記患者の硬口蓋から離間した位置に舌を維持するように適合されることにより、その間に空き領域を維持する、項目１４８に記載のシステム。
（項目１５９）
上記経口装置は、上記軟口蓋を、上記患者の気道の外側で上記舌および上記経口装置の一方または両方との密封係合の状態に維持するように適合されることにより、該気道が上記真空流路から実質的に流体的に隔離される、項目１４８に記載のシステム。
（項目１６０）
上記舌拘束は、それと連結されるか、または一体化される真空チューブ腔を有し、上記真空源は、該真空チューブ腔に流体接続され、該真空チューブ腔は、該舌拘束の上側に開口を有し、該開口を通して真空が上記空き領域に適用される、項目１５８に記載のシステム。
（項目１６１）
上記経口装置はさらに、歯によって担持される咬合構造を備え、上記舌拘束は、該咬合構造に連結されるか、または一体化される、項目１５８に記載のシステム。
（項目１６２）
上記舌の上面に真空を適用するように適合される、上記舌拘束の少なくとも１つのポートをさらに備える、項目１５８に記載のシステム。
（項目１６３）
上記舌拘束は、上記舌の内側領域に係合するように適合され、該内側領域は、少なくとも部分的に、上記硬口蓋の前端と該硬口蓋の後端との間の中間点より後方にある、項目１５８に記載のシステム。
（項目１６４）
後面は、その中に後部ポートを有し、該後部ポートは、上記軟口蓋に真空を適用するように適合される、項目１４８に記載のシステム。
（項目１６５）
気道開存性を監視するためのシステムであって、
患者の口腔内に配置可能であり、該患者の唇から該患者の軟口蓋まで連続した真空流路を維持し、かつ該真空流路から該患者の気道を実質的に密封するように適合される、経口装置と、
該真空流路と流体連通している該経口装置に連結された真空源と、
該口腔内の少なくとも１つの状態を検出するための、該経口装置に連結されたセンサと
を備える、システム。
（項目１６６）
上記センサに連結され、ある期間にわたって該センサから受信されるデータを記録するように適合される、記録装置をさらに備える、項目１６５に記載のシステム。
（項目１６７）
上記センサによって生成される信号に応じて上記真空源を制御するための、該センサおよび該真空源に連結されたコントローラをさらに備える、項目１６５に記載のシステム。
（項目１６８）
上記センサは、圧力センサを備え、上記コントローラは、上記口腔内で実質的に一定の陰圧を維持するように、上記真空源を自動的に調整するように適合される、項目１６７に記載のシステム。
（項目１６９）
上記記録装置は、メモリ装置を備える、項目１６６に記載のシステム。
（項目１７０）
上記メモリ装置と通信しているコンピュータをさらに備える、項目１６９に記載のシステム。
（項目１７１）
上記メモリ装置からの情報をユーザに表示するように適合される、ディスプレイをさらに備える、項目１７０に記載のシステム。
（項目１７２）
上記ユーザからの情報を上記コンピュータに伝送するように適合される、ユーザ入力装置をさらに備える、項目１７０に記載のシステム。
（項目１７３）
上記センサは、上記口腔内に配置可能となるように、上記経口装置に取り付けられる、項目１６５に記載のシステム。
（項目１７４）
上記経口装置に取り付けられる管であって、該経口装置がその中に配置されると、上記口腔に位置するポートを有する、管をさらに備え、上記センサは、該口腔の外側で該管と連絡している、項目１６５に記載のシステム。
（項目１７５）
上記センサは、上記患者の口腔内の圧力を検出するように適合される、圧力センサを備える、項目１６５に記載のシステム。
（項目１７６）
上記センサは、上記口腔内または上記患者の組織内の酸素レベルを検出するように適合される、酸素測定センサを備える、項目１６５に記載のシステム。
（項目１７７）
上記センサは、上記口腔内で上記経口装置と組織との間の接触を検出するように適合される、インピーダンスセンサを備える、項目１６５に記載のシステム。
（項目１７８）
上記センサは、上記患者の頭部の配向を検出するように適合される、加速度計を備える、項目１６５に記載のシステム。
（項目１７９）
上記センサは、呼吸、いびき、歯ぎしり、または心拍から選択される音を検出するための圧電センサを備える、項目１６５に記載のシステム。
（項目１８０）
上記センサは、温度センサを備える、項目１６５に記載のシステム。
（項目１８１）
上記温度センサは、上記鼻気道の中または隣接する空気の温度を検出するように適合される、項目１８０に記載のシステム。
（項目１８２）
上記記録装置から外部装置へ、情報を電子的に伝送するための伝送装置をさらに備える、項目１６５に記載のシステム。
（項目１８３）
上記伝送装置は、モデム、ドッキングステーション、ケーブルコネクタ、および無線伝送器から選択される、項目１８２に記載のシステム。
（項目１８４）
上記経口装置は、上記気道が上記真空流路から実質的に流体的に隔離されるように、上記軟口蓋を上記舌との密封係合の状態に維持するように適合される、項目１６５に記載のシステム。
（項目１８５）
上記センサは、上記気道が上記真空流路から実質的に流体的に隔離されているか否かを監視するように適合される、項目１８４に記載のシステム。
（項目１８６）
上記センサは、上記口腔内の圧力を監視するための圧力センサである、項目１８５に記載のシステム。
（項目１８７）
上記センサは、上記真空流路を通る流量を監視するための流量センサである、項目１８５に記載のシステム。
（項目１８８）
上記センサから受信されるデータに応じて、可視または可聴の信号を提供するように適合される、アラームをさらに備える、項目１６５に記載のシステム。
（項目１８９）
上記口腔から吸引される液体を収集するための、上記真空源と連通している液体コレクタをさらに備える、項目１６５に記載のシステム。
（項目１９０）
上記真空源は、液体が吸引されているときに、上記口腔内に実質的に一定の陰圧を自動的に維持するように適合される、項目１８９に記載のシステム。
（項目１９１）
上記期間は、複数の期間のうちのいずれかであるように上記ユーザによって選択可能である、項目１６６に記載のシステム。
（項目１９２）
上記口腔内の第２の状態を監視するための少なくとも１つの第２のセンサをさらに備える、項目１６５に記載のシステム。